(57)【特許請求の範囲】
【請求項１】
ＡＴＭ交換機に収容されたＭバスインタフェースユニットと、両端が前記Ｍバスインタフェースユニットに収容され最遠端で折り返されて下りバスと上りバスとされたＭバスと、該バスに直列に接続された複数の分岐装置からなるＡＴＭ−Ｍバスシステムに用いるＡＴＭ−Ｍバスシステム用分岐装置において、
上位ノードからのＭバスが接続される上流側Ｍバスインタフェースと下位ノードへのＭバスが接続される下流側Ｍバスインタフェースと端末装置が接続される端末装置用インタフェースの３方向のインタフェース手段と、
上流側Ｍバスインタフェースに入力されたＡＴＭセルを下流側Ｍバスインタフェースの出力側に中継するＡＴＭセル中継手段と、
上流側Ｍバスインタフェースに入力されたＡＴＭセルを上流側Ｍバスインタフェースの出力側に分岐装置内で送り返すＡＴＭセル折返手段と、
下流側Ｍバスインタフェースになんらかの装置が接続されていることを判定する装置接続判定手段と、
下流側Ｍバスインタフェースに接続された装置が分岐装置であるか否かを判定する分岐装置接続判定手段と、
下流側Ｍバスインタフェースを端末装置用インタフェースとして働かせる手段とを有し、
下流側Ｍバスインタフェースに分岐装置が接続されているときに、上流側Ｍバスインタフェースに入力されたＡＴＭセルを下流側Ｍバスインタフェースに中継し、下流側Ｍバスインタフェースに分岐装置が接続されていないときに、上流側Ｍバスインタフェースに入力されたＡＴＭセルを上流側Ｍバスインタフェースに折り返すことを特徴とするＡＴＭ−Ｍバスシステム用分岐装置。
【請求項２】
分岐装置接続判定手段が、下流側Ｍバスインタフェースの上りバスに「ＩＤ要求」セルを検出したときに、接続された装置が分岐装置であると判定する請求項１記載のＡＴＭ−Ｍバスシステム用分岐装置。
【請求項３】
下流側Ｍバスインタフェースに分岐装置が接続されていないときに、この下流側Ｍバスインタフェースを端末装置用インタフェースとして使用することを特徴とする請求項１記載のＡＴＭ−Ｍバスシステム用分岐装置。
【発明の詳細な説明】
【０００１】
【発明の属する技術分野】
本発明は、ＡＴＭ（Asynchronous Transfer Mode：非同期転送モード）交換方式に適用するバス方式に関し、とくに、ＡＴＭ交換機に収容される端末装置間でデータ交換を行うマルチメディアバス(Ｍバス)方式に置ける分岐装置に関する。
【０００２】
【従来の技術】
本出願人は、特開平１０‐２１００４５号公報（特願平９−１０２３１号）の出願において、「ＡＴＭ−Ｕバス方式」と呼ぶバス方式を提案している。
このＡＴＭ−Ｕバス方式は、ＡＴＭスイッチとＡＴＭ１５５Ｍｂｐｓインタフェースを有する主装置と、該主装置にバスを介して直列に収容される複数の分岐装置とから構成される。該分岐装置は、端末装置を収容するとともに前記ＡＴＭ１５５Ｍｂｐｓインタフェースの上りバスと下りバスに接続される。前記バスは、主装置からの下りバスの終端が折り返されて上りバスとされ、主装置に収容されたバスでありＵバスと呼ばれる。
【０００３】
このバス方式に用いるＵバス主装置は、音声／画像／データなどを全てＡＴＭセル化し、１５５ＭｂｐｓＭバスインタフェースに独自のＡＴＭバスインターフェース（Ｉ／Ｆ）を有し、その配下に複数の標準ＡＴＭ端末装置を収容するとともに、高速ＡＴＭ端末装置を直接そのＭバスインタフェースに収容することで、一元的に交換処理を行う小規模オフィス対応のＡＴＭ装置である。
このＵバス方式を採用した小規模事業所用のＵバス主装置の構成を図７に示す。Ｕバス主装置１００は、ＡＴＭ交換装置としての機能を有しており、ＡＴＭスイッチ（ＡＴＭ−ＳＷ）１０１と、１５５ＭｂｐｓのＵ−ＧＦＣ制御付ＡＴＭインタフェース１０２とを有して構成され、さらに図示を省略した１００ＭｂｐｓのＬＡＮインタフェースと、既存のＷＡＮインタフェースと、制御部と、蓄電池を具備した電源ユニットを有して構成されている。
【０００４】
ＡＴＭスイッチ（ＡＴＭ−ＳＷ）１０１は、通常のＡＴＭスイッチと同様であり、この例では、１５５Ｍbpsのポート８個を有している。
【０００５】
Ｕバス主装置（ＡＴＭ交換機）１００の１５５ＭbpsのＡＴＭインタフェース１０２は、Ｕバス１２０およびＡＴＭ１５５Ｍbps端末装置ならびにＡＴＭ１５５Ｍbps回線を直接収容できるインタフェースパッケージであり、ＡＴＭセルのヘッダ内に設けられたＧＦＣ部分を使用したＵ−ＧＦＣ制御機能を有している。
【０００６】
ＡＴＭインタフェース１０２は、ＡＴＭセル中のＧＦＣとバーチャルパス（ＶＰ）とバーチャルチャネル（ＶＣ）を変換するとともにスイッチングのためのタグを付与するＶＰ／ＶＣ変換手段と、ＡＴＭ１５５Ｍbps仕様のユーザーネットワークインタフェースである１５５ＭbpsＡＴＭユニットと、光／電気変換インタフェースと、ＧＦＣ／ＶＰ／ＶＣ変換のための参照テーブルを格納したＳＲＡＭと、送受信セルのＵバス上に固有のＧＦＣ制御であるＵ−ＧＦＣ制御を行うＵ−ＧＦＣ制御ユニットとから構成され、例えば、カード状のパッケージに搭載される。
【０００７】
Ｕ−ＧＦＣ制御ユニットは、下りバスに送り出すＡＴＭセル（下りセル）ＩＤを蓄積する下りセル用ＦＩＦＯメモリと、上りバスから受信した上りセルＩＤを記録する上りセル用ＦＩＦＯＩメモリと、下りセル用ＦＩＦＯメモリに蓄積された下りセルＩＤと上りセル用ＦＩＦＯメモリに記録された上りセルＩＤとの一致をみる比較手段を有している。
【０００８】
ＡＴＭ１５５Ｍbpsインタフェース１０２には、Ｕバスと呼ぶＡＴＭバス１２０およびＡＴＭ端末装置、ＡＴＭ−ＰＮＮＩを介して他のＡＴＭ交換機、ＡＴＭ−ユーザネットワークインタフェース（ＵＮＩ）を介してＡＴＭ−ＷＡＮがそれぞれ接続される。
また、ＬＡＮインタフェースには、１００Ｍbpsの既存のＬＡＮ網が接続される。
さらに、既存ＷＡＮインタフェースには、ＩＳＤＮ回線またはアナログ回線、専用線、ＯＣＮ等か接続される。
【０００９】
制御部は、Ｕバス主装置１００の交換制御およびパッケージ制御ならびにネットワーク管理の制御を行う。
【００１０】
Ｕバス１２０は、ＡＴＭ端末装置を接続することができるバスであり、Ｕ−ＧＦＣ制御付きのＡＴＭ１５５Ｍbpsインタフェース１０２に収容される。Ｕバス１２０には、複数のマルチメディア端末装置や画像端末装置などの例えば、２５ＭbpsのＡＴＭキーテレホン（ＡＴＭ−ＫＴ）１５１、１５５ＭbpsのＡＴＭ端末装置１５２、３.１ＫＨｚオーディオ（６４Ｋｂｐｓ）のアナログ電話機１５３、ＩＳＤＮ端末装置１５４、２５ＭbpsのＡＴＭ端末装置１５５が分岐装置１３０を介して接続され、アナログ電話機１５３、ＩＳＤＮ端末装置１５４などは既存端末装置用分岐装置１３０−３を介して接続され、さらに１５５Ｍbpsのサーバ／コンピュータなどのＡＴＭ端末装置１５２が接続される。
【００１１】
例えば、Ｕバス１２０には、分岐装置１３０−１，１３０−２、１３０−ｎを介して、１５５ＭbpsＡＴＭ端末装置１５２、２５ＭbpsＡＴＭ端末装置１５５、ＡＴＭキーテレホン１５１などが１５５ＭbpsのＵバス１２０のトラヒック容量を考慮して複数接続される。
【００１２】
Ｕバス専用に収容されるインタフェースとしては、多機能ボタン電話機であるＡＴＭキーテレホン（ＡＴＭ−ＫＴ）１５１がある。このＡＴＭキーテレホンは、電話機内部にＣＬＡＤを有しており、ＡＴＭ２５bpsインタフェースでＵバス１２０に接続される。
【００１３】
上述のように、このＡＴＭ−Ｕバス方式は、各分岐装置に識別子を付与し、主装置から送り出すＡＴＭセルのヘッダのＧＦＣフィールドにＡＴＭセルの宛先の分岐装置の識別子を付与して送り出す方式である。
さらに、このＡＴＭ−Ｕバス方式は、分岐装置が受信した自己宛のセルを分岐して端末装置に送るようにし、分岐装置に収容された端末装置からの送信データがないとき、分岐装置で受信した自己宛のセルの識別子を削除して空きセルとして下流ノードへ送り出し、分岐装置に収容された端末装置からの送信データがあるとき、分岐装置で受信した自己宛のセルまたは空きセルに送信データを乗せて送り出すようにしている。
【００１４】
また、このＡＴＭ−Ｕバス方式は、分岐装置に端末装置からの送信データを一時格納する複数の送信バッファを設け、送信バッファの値が所定の値に達したときに該分岐装置宛のセルを“ＳＯＳ”セルとして主装置に送り返し、主装置は“ＳＯＳ”セルを受けたときに強制的に共用チャネル以外の下りセルに前記分岐装置の識別子を付与した予約空きセルを送出するようにしている。
【００１５】
ＡＴＭ−Ｕバス方式に用いる分岐装置は、ＡＴＭ−Ｕバスに接続され、上流側インタフェースと、下流側インタフェースと、端末装置への入出力インタフェースとを有し、受信したＡＴＭセルのヘッダに付与された識別子を抽出して自己宛のセルを分岐する機能と、セル分解・組立（ＣＬＡＤ）機能と、自己宛のセルまたは空きセルに送信データを乗せるセル挿入機能を有するバス制御手段を備えている。
【００１６】
ＡＴＭ−Ｕバス方式に用いるＡＴＭ１５５Ｍbpsインタフェースは、ＡＴＭバスが接続され、下りバスに送出するＡＴＭセルのＧＦＣに付した識別子を蓄積するＦＩＦＯメモリと、上りバスで受信したＡＴＭセルのＧＦＣに付した識別子を蓄積するＦＩＦＯメモリと、下りバスに送出するＡＴＭセルのＧＦＣに付した識別子と上りバスで受信したＡＴＭセルのＧＦＣに付した識別子とを比較する手段とを有しており、下りバスに送出するＡＴＭセルのＧＦＣに付した識別子の蓄積がなく、上りバスで受信したＡＴＭセルのＧＦＣに付した識別子が記憶されたときに端末装置を指定した空きセルを下りバスに割り付ける機能を有している。
【００１７】
このＡＴＭ−Ｕバス方式は、
▲１▼  標準方式ＡＴＭ−スイッチ（ＳＷ）を用いて実現することができ、主装置の各１５５Ｍbpsインタフェースでは、上記“Ｕ−ＧＦＣフロー制御”を無視するか無効とすることによって、標準のＡＴＭ１５５ＭbpsＭポートとしても使用でき、各分岐装置の端末装置は公平かつ効率的に送信することが可能となり、かつ、セルの最大遅延等の特性を最大限保証することができる．
▲２▼  音声の様な既存端末装置などの対称サービスは、その端末装置の受信セルだけによって送信の保証が可能となる．
▲３▼  サーバアクセス、インタネットアクセス等の非対称サービスに対して、Ｕ−ＧＦＣフロー制御および“ＳＯＳ”セルによってセルの有効利用が可能となる．
▲４▼  Ｕバス上の端末装置は“マルチキャスト”通信が可能である．
▲５▼  分岐装置の配下に端末装置をマルチポイントに接続することが可能となる．
▲６▼  ＣＬＡＤ付き分岐装置を接続することによって、既存端末装置を直接収容することが可能となる．
▲７▼  Ｕバス方式のソフト処理は、初期設定、ＯＡＭ管理、Ｕバス管理の他にはほとんど必要ないので、Ｕバス方式を容易に実現することができる．
▲８▼  ハードウェアは、ＡＴＭ１５５Ｍbpsインタフェースを設けるだけであり、ＵＴＯＰＩＡバス制御、セル挿入・分岐、およびバッファ処理が増えるだけであるので、Ｕバス方式は容易に実現することができる．
という優れた効果を奏する方式である。
【００１８】
各分岐装置は、上流側Ｍバスインタフェースと下流側Ｍバスインタフェースと端末装置側インタフェースの３個のスインタフェースを有しており、主装置から最遠端の分岐装置では、下流側Ｍバスインタフェースの下りバス出力部に接続された下りバスを折り返して下流側Ｍバスインタフェースの上りバス入力部に接続していた。
【００１９】
【発明が解決しようとする課題】
以下、本明細書においては、上記先願の“ＡＴＭ−Ｕバス”を“ＡＴＭ−Ｍバス”といい、“ＡＴＭ−Ｕバス方式”を“ＡＴＭ−Ｍバス方式”という。
本発明は、ＡＴＭ−Ｍバス方式において、ＡＴＭ−Ｍバスの最遠端部での外部折返しを最遠端に接続された分岐装置内で可能にしたＡＴＭ−Ｍバスシステム用分岐装置を提供することを目的とする。
つまり、本発明は、内部の折返しを、最遠端にある分岐装置が自己が最遠端にある分岐装置であることを認識して自動的に設けるようにしたＡＴＭ−Ｍバスインタフェース用分岐装置を提供することを目的とする。
【００２０】
また、本発明は、最遠端の分岐装置の下流側Ｍバスインタフェースを１５５Ｍｂｐｓの端末装置用インタフェースとして用いることができるＡＴＭ−Ｍバスシステム用分岐装置を提供することを目的とする。
つまり、本発明は、ＡＴＭ−Ｍバス方式に用いる分岐装置において、最遠端にある分岐装置が自己が最遠端にある分岐装置であることを認識して自己の内部に自動的に折返部を設け、下流側Ｍバスインタフェースを１５５Ｍｂｐｓの端末装置用インタフェースとして使用できるようにした分岐装置を提供することを目的とする。
【００２１】
【課題を解決するための手段】
上記課題を解決するために、本発明は、ＡＴＭ交換機に収容されたＭバスインタフェースユニットと、両端が前記Ｍバスインタフェースユニットに収容され最遠端で折り返されて下りバスと上りバスとされたＭバスと、該バスに直列に接続された複数の分岐装置からなるＡＴＭ−Ｍバスシステム用分岐装置において、上位ノードからのＭバスが接続される上流側Ｍバスインタフェースと下位ノードへのＭバスが接続される下流側Ｍバスインタフェースと端末装置が接続される端末装置用インタフェースの３方向のインタフェース手段と、上流側Ｍバスインタフェースに入力されたＡＴＭセルを下流側Ｍバスインタフェースの出力側に中継するＡＴＭセル中継手段と、上流側Ｍバスインタフェースに入力されたＡＴＭセルを上流側Ｍバスインタフェースの出力側に送り返すＡＴＭセル折返手段と、下流側Ｍバスインタフェースになんらかの装置が接続されていることを判定する装置接続判定手段と、下流側Ｍバスインタフェースに接続された装置が分岐装置であるか否かを判定する分岐装置接続判定手段と、下流側Ｍバスインタフェースを端末装置用インタフェースとして働かせる手段とを備えた。
【００２１】
つまり、本発明は、上記ＡＴＭ−Ｍバスシステム用分岐装置において、下流側Ｍバスインタフェースに分岐装置が接続されていないときに、内部にＡＴＭセル折返手段を設けるようにし、下流側Ｍバスインタフェースに分岐装置が接続されているときに、ＡＴＭセル中継手段を設けるようにした。
【００２２】
また、本発明は、上記ＡＴＭ−Ｍバスシステム用分岐装置において、分岐装置接続判定手段が、下流側Ｍバスインタフェースの上りバスに「ＩＤ要求」セルを検出したときに、接続された装置が分岐装置であることを判定し、中継機能を設けるようにした。
【００２３】
また、本発明は、上記ＡＴＭ−Ｍバスシステム用分岐装置において、下流側Ｍバスインタフェースに分岐装置が接続されていないときに、この下流側Ｍバスインタフェースを端末装置側インタフェースとして使用するようにした。
【００２４】
【発明の実施の形態】
以下、本発明にかかるＡＴＭ−Ｍバスシステム用分岐装置の実施の形態を図を用いて説明する。
【００２５】
本発明は、上記した先願にかかるＡＴＭ−Ｕバスシステムに準じた方式を採用しており、マルチメディアバス（以下、Ｍバスという）と、Ｍバス主装置と、端末装置インターフェース分岐装置（以下、単に分岐装置という）で構成されるＡＴＭ−Ｍバスシステムで用いる分岐装置に関する。
【００２６】
本発明にかかるＡＴＭ−Ｍバスシステムの概要を図１を用いて説明する。
ＡＴＭ−Ｍバスシステムは、Ｍバス主装置１と、１５５ＭbpsのＭバス３と、該Ｍバスに従属接続された複数の分岐装置５とから構成され、各分岐装置５にはそれぞれ２５ＭbpsのＡＴＭ−ＫＴ７１、１５５ＭbpsのＡＴＭ端末装置７２，２５ＭbpsのＡＴＭ端末装置７５などが接続線を介して収容される。
【００２７】
Ｍバス主装置１は、ＡＴＭ交換機としての機能を有しており、ＡＴＭスイッチ（ＡＴＭ−ＳＷ）１１と、Ｍバス３をＡＴＭスイッチに収容させるゲートウェイとして働くＭバスインタフェースユニット（ＭＢＵ）１２と、Ｎ−ＩＳＤＮ基本インタフェースユニット（ＢＣＯＵ）１５と、中央制御装置（以下、ＣＣＵという）１９とを有して構成される。
さらに、Ｍバス主装置１は、２５Ｍbps端末装置インタフェースユニット１３、ＬＡＮユニット１４、２５Ｍbpsノード間インタフェースユニット（２５ＭＮＵ）１６、三者会議ユニット（ＣＮＦＵ）１７、音声通話タイプ変換ユニット（ＶＴＵ）１８などを有することができる。
【００２８】
ＭＢＵ１２は、Ｍバスを介して分岐装置５との間でＡＴＭセルを送受信する。Ｍバス上のＡＴＭセルには、Ｍバス上に固有なセルヘッダが設定されている。
【００２９】
Ｍバス３は、ＭＢＵ１２に接続された下りバスと上りバスから構成され、複数の分岐装置５が縦列接続される。下りバスは、終端の分岐装置内で折り返されて上りバスとされている。
Ｍバス３は、マルチモード光ファイバ（以下、ＭＭＦという）または１００Ωの銅線ケーブル（以下、ＵＴＰという）を用いて１５５ＭbpsのＡＴＭバスとして構成される。
【００３０】
ＭＢＵ１２から最遠端にある分岐装置５-nでは、Ｍバス３の下りバスと上りバスは、分岐装置５-n内に設けた折返手段によって折り返されている。
ＭＢＵ１２から下りバスに送出されたＡＴＭセルは、折返手段で折り返され、上りバスに送出されてＭＢＵ１２へ戻ってくる。
【００３１】
分岐装置５は、Ｍバス３の下りバスと上りバスに接続され、上位ノードから下りバスで受信したＡＴＭセルを下位ノードに中継し、下位ノードから上りバスで受信したＡＴＭセルを上位ノードに中継するＡＴＭセル中継機能と、下りバスで受信した自己宛のＡＴＭセルのデータを取り込み配下の端末装置に配信するセル分岐機能と、端末装置からのデータを空きセルに乗せて下りバスまたは上りバスへ送り出すセル挿入機能を有している。
また、分岐装置５は、シグナリングによる該当ユーザセルのＶＰＩ／ＶＣＩの取得および管理機能、該当ユーザセルのＧＦＣ制御機能、Ｍバスおよび端末インタフェースポートの障害監視機能を有している。
【００３２】
分岐装置５は、下りバス上のＡＴＭセルを入力とし上りバスにＡＴＭセルを出力する１５５Ｍｂｐｓの上流側Ｍバスインタフェースと、下りバスにＡＴＭセルを出力し上りバス上のＡＴＭセルを入力とする１５５Ｍｂｐｓの下流側Ｍバスインタフェースと、１以上の端末装置用インタフェースを有している。
【００３３】
最大１４台の分岐装置５が、Ｍバス３に従属接続される。
【００３４】
各分岐装置５の端末装置用インタフェースには、２５ＭbpsのＡＴＭボタン電話機（ＡＴＭ−ＫＴ）７１等の２５ＭbpsＡＴＭ端末装置、２５ＭbpsのＡＴＭ標準端末装置７５、１５５ＭbpsのＡＴＭ標準端末装置７２、Ｑ２９３１をサポートするアナログ端末装置、ＩＳＤＮ端末装置等が収容される。
【００３５】
さらに、この発明にかかる分岐装置５は、内部に上流側Ｍバスインタフェースの下りバスで受信したＡＴＭセルを上流側Ｍバスインタフェースの上りバスに送信する折返（ループバック）機能を有している点に特徴を有している。
さらに、分岐装置５は、下流側Ｍバスインタフェースになんらかの装置が接続されているか否かを判断する機能と、下流側Ｍバスインタフェースに接続された装置が分岐装置であるか否かを判断する機能と、分岐装置が下流側Ｍバスインタフェースに接続された場合には中継機能を選択し、分岐装置が下流側Ｍバスインタフェースに接続されていない場合にはループバック機能を選択する選択機能を有している。
さらに、分岐装置５は、ループバック機能を選択した際に、下流側Ｍバスインタフェースを端末装置用インタフェースとして使用する機能を有している。
【００３６】
ここで、ＡＴＭ−Ｍバスシステムについて説明する。
ＡＴＭ通信システムにおいては、ＡＴＭセルのヘッダの一般的フロー制御（ＧＦＣ：４bit）フィールドは、ＮＮＩ（Network Node Interface）には規定がなくエンド・エンド（End-to-End）の機能としては使用されず、ユーザネットワークインタフェース（ＵＮＩ）の部分にのみ使用されるフィールドである。
本発明にかかるＭバスシステムでは、複数の分岐装置をＭバスに従属接続し、分岐装置間（Ｍバス区間）でのみ、ＡＴＭセルのヘッダのＧＦＣの４bitに各分岐装置の識別番号（以下、ＩＤという）を搭載し、ＧＦＣに搭載したＩＤでルーティングを行う。
【００３７】
ＡＴＭ−Ｍバス方式における、ＧＦＣ制御プロトコルを本明細書ではＭ−ＧＦＣ制御プロトコルと定義する。
Ｍ−ＧＦＣ制御プロトコルは、ＭＢＵ１２と分岐装置５のハードウエア（一部ソフト介在）で実現するバス制御プロトコルである。Ｍ−ＧＦＣフロー制御を実現する上での前提条件を以下に示す。
ＭＢＵ１２から送信するバスを下りバス、最遠端の分岐装置５−ｎで折り返されてＭＢＵ１２へ向かうバスを上りバスという。
各分岐装置５の識別子ＩＤは、後述するＭＢＵ１２からの識別子自動割当て処理によって決定される。
分岐装置５におけるバス上のＡＴＭセルの送信および受信は、受信セルは下りバスからのみ取り込み、送信セルは下りバスまたは上りバス上のどちらの空きセルにもセットすることができる。ただし、どちらにも送信可能な場合は、上りバスへの送出を優先とする
【００３８】
Ｍバスで管理されるセル種別は、ＧＦＣ／ＶＰ／ＶＣにより定義される。その定義の内容を表１に示す。
【００３９】
【表１】
0003790050.tif 000002
【００４０】
表１に示すように、ＧＦＣ／ＶＰ／ＶＣが“０／０／０”とされたＡＴＭセルは、空きセルであり、ペイロードは全て“６Ａｈ”の繰返しとなる。
ＧＦＣ／ＶＰ／ＶＣが“０／ＶＰＩ／ＶＣＩ”とされたセルは、分岐装置からのＳＯＳセルであり、データセルのＧＦＣを“０”にして作られる。
ＧＦＣ／ＶＰ／ＶＣが“ＩＤ／０／０”とされたセルは、ＩＤによって分岐装置が指定された予約空きセルであり、ＭＢＵから下りバスに送出される。
ＧＦＣ／ＶＰ／ＶＣが“ＩＤ／ＶＰＩ／ＶＣＩ”とされたセルは、ＩＤによって分岐装置が指定された送信データセルまたは受信データセルである。
ＧＦＣ／ＶＰ／ＶＣが“ＩＤ／ＶＰＩ／ＶＣＩ”とされたセルは、ＭＢＵ１２と分岐装置５間の制御セルであり、制御専用のＶＰＩ／ＶＣＩ値が用いられる。
ＧＦＣ／ＶＰ／ＶＣが“１５／ＶＰＩ／ＶＣＩ”とされたセルは、分岐装置からのマルチキャスト用送信および受信データセルである。
ＧＦＣ／ＶＰ／ＶＣが“ＩＤ／０／５”とされたセルは、ＩＤによって分岐装置が指定された送信および受信ポイント−ポイントシグナリングセルである。
ＧＦＣ／ＶＰ／ＶＣが“ＩＤ／ＶＰＩ／３”とされたセルは、障害時の専用セルで、ＩＤによって分岐装置が指定された送信または受信ポイント−ポイント対応ＶＰ用ＯＡＭセルであり、セグメントに対応している。
ＧＦＣ／ＶＰ／ＶＣが“ＩＤ／ＶＰＩ／４”とされたセルは、障害時の専用セルで、ＩＤによって分岐装置が指定された送信または受信ポイント−ポイント対応ＶＰ用ＯＡＭセルであり、エンド−エンドに対応している。
【００４１】
ＭＢＵ−ＡＴＭスイッチ間および分岐装置−端末装置装置間を流れるセルのＧＦＣ／ＶＰは“０／０”で構成される。
【００４２】
ＭＢＵ１２の構成を、図２のブロック図を用いて説明する。
ＭＢＵ１２は、２台のＧＦＣ／ＶＰ／ＶＣ変換手段（ＡＴＣ）１２０と、セル分岐・挿入制御部１２１と、ＡＴＭユーザネットワークユニット（ＵＮＩ）１２２と、光／電気変換用インタフェース１２３と、Ｆ−ＲＯＭ１２４と、Ｓ−ＲＡＭ１２５と、ＣＰＵ１２６と、ＬＥＤ表示部１２７と、ＰＬＬ回路１２８とを有して構成される。
【００４３】
セル分岐・挿入制御部１２１は、タグ削除部１２１１と、２台のＭ−ＧＦＣ制御部１２１２，と、２台のＡＡＬ５処理部１２１３と、リセット回路１２１４と、ＯＡＭ回路１２１５と、タグ挿入部１２１６とを有して構成される。
【００４４】
次いで、ＭＢＵプロトコルについて説明する。
ＭＢＵ１２には、上りルーティングテーブルおよび下りルーティングテーブルからなる変換テーブルがＡＴＣ＃１，＃２に形成される。上りルーティングテーブル（ＡＴＣ＃２）は、バス上の通信中の呼のＧＦＣ（ＩＤ）／ＶＰ／ＶＣをＡＴＭスイッチ管理用ＧＦＣ／ＶＰ／ＶＣに相互に変換するテーブルである。下りルーティングテーブル（ＡＴＣ＃１）は、ＡＴＭスイッチ管理用ＧＦＣ／ＶＰ／ＶＣをバス上の通信中の呼のＧＦＣ（ＩＤ）／ＶＰ／ＶＣに相互変換するテーブルである。
これらのルーティングテーブルは、Ｍバス上の最大コネクション数（例えば１０２４チャネル）で、ＣＣＵによって決定されたデータを基に管理される。
これらのルーティングテーブルは、ＡＴＭスイッチ交換用のスイッチングタグの挿抜も行う。
【００４５】
ＡＴＣ１２０におけるルーティングテーブルを用いた基本的な変換法則および変換方法を表２および図３を用いて説明する。
表２（Ａ）は、シグナリングセルおよびＯＡＭセル用の共用チャネル上の変換であり、表２（Ｂ）は、ユーザセル用のユーザチャネル上の変換であり、表２（Ｃ）は、マルチキャストセル用のユーザチャネル上の変換である。
【００４６】
【表２】
0003790050.tif 000003
【００４７】
シグナリングセルおよびＯＡＭセルを対象とした共用チャネルでは、上り方向では、ＧＦＣ／ＶＰ／ＶＣについて、Ｍバス上のセルの“ＩＤ番号／０（固定）／ＶＣＩ”を、ＭＢＵ−ＡＴＭスイッチ間のセルの“０（固定）／ＶＰＩ（ＣＣＵ管理用）／ＶＣＩ（ＣＣＵ管理用）”に変換する。一方、下り方向では、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“ＩＤ番号／０（固定）／ＶＣＩ”に変換する。
【００４８】
ユーザセルを対象としたユーザチャネルでは、上り方向では、ＧＦＣ／ＶＰ／ＶＣについて、Ｍバス上のセルの“ＩＤ番号／ＶＰＩ／ＶＣＩ”を、ＭＢＵ−ＡＴＭスイッチ間のセルの“０（固定）／ＶＰＩ（ＣＣＵ管理用）／ＶＣＩ（ＣＣＵ管理用）”に変換する。一方、下り方向では、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“ＩＤ番号／ＶＰＩ／ＶＣＩ”に変換する。
【００４９】
マルチキャスト用セルを対象としたユーザチャネルでは、上り方向では、なんら変換作業を行わず、下り方向では、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“１５／ＶＰＩ／ＶＣＩ”に変換する。
【００５０】
ＭＢＵ１２に設けたＧＦＣ／ＶＰ／ＶＣ変換手段（ＡＴＣ）１２０の働きを、図３を用いて説明する。ここでは、上りバスから入力された５３バイトのＡＴＭセルをＡＴＭスイッチ１１へ向けて送出する５６バイトのＡＴＭセルに変換するＡＴＣ１２０−２を例にしている。
ＡＴＣ１２０−２では、Ｍバスから入力された５３バイトのＡＴＭセルから、ＧＦＣ／ＶＰ／ＶＣを読み出すとともにスイッチングタグスペースを挿入し、変換テーブル＃２  １２０２を参照して得た出力セル用のＧＦＣ／ＶＰ／ＶＣ／スイッチングタグを入力セルにセットして５６バイトの出力セルとしてＡＴＭスイッチ１１へ向けて送出する。
ＡＴＣ１２０−１における、ＡＴＭスイッチ１１からの５６バイトのＡＴＭセルを５３バイトのＡＴＭセルとしてＭバス３へ送出するＡＴＭセルに変換する動作は、上記とほぼ同様に行われる。
【００５１】
分岐装置５は、Ｍバス３への接続時または電源投入時に、識別番号（ＩＤ）を取得する必要がある。
このＩＤ取得は、分岐装置５から「ＩＤ要求」を繰返し出力し、ＭＢＵ１２がこの「ＩＤ要求」に対して、ＩＤ自動割当手順を実行することにより行われる。
【００５２】
ここで、表３を用いて、本発明に用いるコマンドとＧＦＣの値およびその機能を説明する。
【００５３】
【表３】
0003790050.tif 000004
【００５４】
「ＩＤ割当確認通知」は、ＭＢＵ１２から分岐装置に送られるＧＦＣが“１５”に設定されたコマンドである。「ＩＤ割当確認通知」は、ＩＤ割当開始を通知するコマンドであり、このコマンドを受けた分岐装置は、「ＩＤ要求」の送出を停止する。
【００５５】
「ＩＤリセット要求」は、上位の分岐装置から下位の分岐装置に送られるＧＦＣが“１５”に設定されたコマンドである。「ＩＤリセット要求」は、ＩＤ自動割当手順に対応するために分岐装置が所有しているＩＤを消去し、端末側レイヤ１を非活性化する指示を与える機能を有している。
【００５６】
「ＩＤ割当確認要求」は、ＭＢＵ１２から分岐装置に送られるＧＦＣに“ＩＤ”を設定したコマンドで、分岐装置のＩＤ割当状況を確認する機能を有している。「ＩＤ割当確認要求」を受信した分岐装置は、受信したコマンドに設定されたＩＤと自己のＩＤを比較し両者が一致したときに「ＩＤ割当確認応答」を出力する。
【００５７】
「ＩＤ割当確認応答」は、分岐装置からＭＢＵ１２に送られるＧＦＣに“ＩＤ”を設定したコマンドで、分岐装置のＩＤ設定済みを通知する機能を有している。
【００５８】
「ＩＤ割当要求」は、ＭＢＵ１２から分岐装置に送られるＧＦＣが“０”に設定されたコマンドで、設定するＩＤをパラメータで指示する機能を有している。ＩＤが既に設定されている分岐装置は、このコマンドをそのまま下位側に中継する。ＩＤが設定されていない（ＩＤ＝０）分岐装置はこのコマンドを受信するとパラメータで指示されたＩＤを自己のＩＤに設定してこのコマンドを搭載したセルを空きセルとして下位側に送出する。さらに、ＩＤを設定した分岐装置は、「ＩＤ割当応答」をＭＢＵ１２へ送出する。
【００５９】
「ＩＤ割当応答」は、分岐装置からＭＢＵ１２に送られるＧＦＣに“ＩＤ”を搭載したコマンドで、ＩＤの設定完了を通知する機能を有している。
【００６０】
「ＩＤ割当終了通知」は、ＭＢＵ１２から分岐装置に送られるＧＦＣに“１５”を搭載したコマンドで、ＩＤの自動割当てを終了し、全ての分岐装置にレイヤ１の活性化を指示する機能を有している。
【００６１】
「ＩＤ割当終了応答」は、分岐装置からＭＢＵ１２に送られるＧＦＣに“ＩＤ”を搭載したコマンドで、ＩＤの割当終了通知に対する応答コマンドである。
【００６２】
「ＩＤ要求」は、分岐装置からＭＢＵ１２に送られるＧＦＣに“０”を搭載したコマンドで、ＩＤの自動割当手順の実行を依頼する機能を有している。
【００６３】
これらのコマンドでＧＦＣが同一のコマンドは、セルのペイロードのデータでコマンドを区別する。
【００６４】
図４を用いて分岐装置５のハードウェア構成を説明する。
分岐装置５は、プログラマブルゲートアレイ（Programable Logic Device，以下、ＰＬＤという）で構成されるセル分岐・挿入制御回路５１と、Ｍバス３に接続される２台の光／電気変換用インタフェース５２−１，５２−２と、それぞれＬＳＩから構成された２台の１５５ＭbpsＡＴＭユーザネットワークインタフェース（ＡＴＭ  ＵＮＩ）５３−１，５３−２と、セル分岐・挿入制御回路用の回路ロジックを格納したＰＬＤ制御用ＲＯＭ５４と、ＰＬＤで構成されるセル分配・多重化制御回路５５と、セル分配・多重化制御回路用の回路ロジックを格納したＰＬＤ制御用ＲＯＭ５６と、それぞれＬＳＩから構成された少なくとも１台の２５ＭbpsＡＴＭユーザネットワークインタフェース（ＡＴＭ  ＵＮＩ）５７−１〜５７−３と、ＡＴＭ  ＵＮＩに対応したパルストランス５８−１〜５８−３と、ＣＰＵ５９と、Ｆ−ＲＯＭ６０と、ＲＡＭ６１とを有して構成される。
光／電気変換用インタフェース５２は、Ｍバス３がＵＴＰで構成されるときには、パルストランスで構成される。
【００６５】
分岐装置５の機能構成を図５を用いて説明する。
分岐装置５は、上流側Ｍバスインタフェース５０１と、下流側Ｍバスインタフェース５０２と、セル分岐機能５０３と、セル挿入機能５０４と、セル分配・多重化機能５０５と、端末装置インタフェース５０６と、装置接続判定機能５０７と、分岐装置接続判定機能５０８と、選択機能５０９と、ＡＴＭセル中継機能５１０と、ループバック機能５１１とを有している。
【００６６】
上流側Ｍバスインタフェース５０１は、上位ノードに接続されたＭバス３とのインタフェースをとり、光電気変換用インタフェース５２−１と１５５ＭｂｐｓＡＴＭユーザネットワークインタフェースユニット５３−１とを有して達成される。
下流側Ｍバスインタフェース５０２は、下位ノードに接続されたＭバス３とのインタフェースをとり、光電気変換用インタフェース５２−２と１５５ＭｂｐｓＡＴＭユーザネットワークインタフェースユニット５３−２とを有して達成される。
【００６７】
セル分岐機能５０３は、上位ノードから受信したＡＴＭセルの中から自己宛のＡＴＭセルを取り込みセル分配・多重化制御回路５５へ転送するとともに該ＡＴＭセルを空きセルとして下流ノードへ送り出す機能、および、セル分岐機能５０３は、上位ノードから受信したマルチキャストセルを取り込みセル分配・多重化制御回路５５へ転送するとともに該マルチキャストセルをそのまま下流ノードへ送り出す機能である。
セル挿入機能５０４は、下りバス上と上りバス上に設けられ、いずれかのバスの空きセルに、配下の端末装置からのデータを搭載して送出する機能である。
セル分岐機能５０３とセル挿入機能５０４は、ＰＬＤで構成され、セル分岐・挿入制御回路用の回路ロジックを格納したＰＬＤ制御用ＲＯＭ５４から組み込むことによって達成される。
【００６８】
セル分配・多重化機能５０５は、セル分岐機能が取り込んだＡＴＭセルを端末装置インタフェース５０６へ分配し、端末装置インタフェース５０６が受信した端末装置からのセルを１５５ＭｂｐｓのＡＴＭセルに組み立てる機能である。
さらに、セル分配機能５０５は、下流側Ｍバスインタフェース５０２に分岐装置以外の１５５ＭｂｐｓＡＴＭ端末装置が接続されたときに、セル分岐機能が取り込んだＡＴＭセルを下流側Ｍバスインタフェース５０２へ分配し、下流側Ｍバスインタフェース５０２が受信した端末装置からのセルを１５５ＭｂｐｓのＡＴＭセルに組み立てる機能である。
【００６９】
装置接続判定機能５０７は、下流側Ｍバスインタフェース５０２に、分岐装置や１５５ＭｂｐｓＡＴＭ端末装置などの１５５Ｍｂｐｓインタフェースを持つ装置が接続されたか否かを判定する機能であり、レイヤ１を監視することによって達成される。
【００７０】
分岐装置接続判定機能５０８は、下流側Ｍバスインタフェース５０２に接続された装置が分岐装置であるか否かを判定する機能であり、上りバス上のＡＴＭセルのＧＦＣを監視して「ＩＤ要求」セルを検出したときに、ＭＢＵ１２に「ＩＤ要求」セルを中継し、ＭＢＵ１２から「ＩＤ割当確認通知」セルを受信した時点で、接続された装置が下位ノードの分岐装置であると判断する。
【００７１】
ＡＴＭセル中継機能５１０は、下流側Ｍバスインタフェース５０２に分岐装置が接続されているときに上位ノードから送られてきたＡＴＭセルを下位ノードに中継する機能である。
【００７２】
ループバック機能５１１は、下流側Ｍバスインタフェース５０２に分岐装置が接続されていないときに上位ノードから送られてきたＡＴＭセルをループバックして上流側Ｍバスインタフェースに接続された上りバスに折り返す機能である。
【００７３】
選択機能５０９は、装置接続判定機能５０７と分岐装置接続判定機能５０８からの判定結果に基づいて、下流側Ｍバスインタフェースに分岐装置が接続されているときには中継機能５１０を選択し下流側ＭバスインタフェースとはＡの接続を行い、分岐装置が接続されていないときにはループバック機能５１１を選択して下流側ＭバスインタフェースとはＢの接続を行うように構成するために、ＬＰＤ制御用ＲＯＭ５４，５６から目的とする回路ロジックを取り込む機能である。
【００７４】
分岐装置５の動作の概要を図６を用いて説明する。
Ｍバス３に接続した分岐装置５の電源を投入する（Ｓ１）と、分岐装置のＣＰＵ５９は、終端分岐装置として動作をする機能（セル分岐・挿入、ループバックおよび１５５Ｍｂｐｓ端末インタフェース）を有する回路ロジックをローディングする（Ｓ２）。これによってＰＬＤ５１にはセル分岐・挿入機能とループバック機能を有する回路が構成される。この時点では、セル分岐・挿入制御回路５１と下流側Ｍバスインタフェースユニット５０２とは、Ｂの経路で接続されている。
ＰＬＤにループバック機能を有する回路ロジックをローディングするには、ループバック機能を格納したセル分岐・挿入制御回路用ＲＯＭ５４からループバック用回路ロジックを読み出して組み立てる。
【００７５】
次いで、下流側Ｍバスインタフェースに１５５Ｍｂｐｓインタフェースを持つ装置が接続されているか否かを判断する（Ｓ３）。この判断は、下流側Ｍバスインタフェースのレイヤ１を監視することによって、物理的に相手が接続されていることを判断することができる。
【００７６】
ステップＳ３の判断で、下流側Ｍバスインタフェースに、分岐装置が接続されているときには、下流側Ｍバスインタフェースの上りバスに「ＩＤ要求」セルを確認することができる（Ｓ４）。
すなわち、本発明が適用されるＡＴＭ−Ｍバスシステムにおいては、下位ノードの分岐装置がＭバス３に接続されたときには、下位ノードの分岐装置は、ＭＢＵ１２に対して自己の識別番号（ＩＤ）の付与を要求する「ＩＤ要求」セルを繰返し上りバス上に送信し、ＩＤを取得するように構成されていることから、電源投入時に上りバスに「ＩＤ要求」セルを検出したときには、下位ノードの装置は分岐装置であると判断することができる。
【００７７】
ステップＳ４で、接続された装置が下位ノードの分岐装置であると判断されたときには、下位ノードから送られてきた「ＩＤ要求」セルをそのままＭＢＵ１２に向けて上りバス上に中継する（Ｓ５）。
【００７８】
ＭＢＵ１２は、「ＩＤ要求」セルを受信すると「ＩＤ割当確認通知」セルを送信して、ＩＤ割り当ての開始を通知する。この「ＩＤ割当確認通知」セルを上流側Ｍバスインタフェースの下りバス上に受信した（Ｓ６）分岐装置は、セル分岐・挿入制御回路５１用ＰＬＤに中継機能（ループバックなし）を有する回路ロジックをロードし直すとともに、セル分配・多重化制御回路５５用ＰＬＤに中継分岐機能をロードする（Ｓ７）。
セル分岐・挿入制御回路５１用ＰＬＤへの中継機能のロードは、中継機能を搭載したセル分岐・挿入制御回路用回路ロジックを格納したＰＬＤ制御用ＲＯＭ５４から読み出してロードすることによって、セル分配・多重化制御回路５５用ＰＬＤへの中継分岐機能のロードは、中継分岐機能を搭載したセル分配・多重化制御回路用回路ロジックを格納したＰＬＤ制御用ＲＯＭ５６から読み出してロードすることによって行われる。
【００７９】
このローディングによって、分岐装置は、上位ノードから受信した他の分岐装置宛ＡＴＭセルまたはマルチキャストＡＴＭセルを下位ノードへ中継する機能と、下位ノードから受信したＭＢＵ１２宛ＡＴＭセルを上位ノードへ中継する機能と、上位ノードから受信した自己宛のＡＴＭセルを配下の端末装置用インタフェースへ分岐するとともに該ＡＴＭセルを空きセルとして下流ノードへ送出する機能と、配下の端末装置用インタフェースから受けたデータを上りバスまたは下りバス上の空きセルに搭載して送り出す機能とを有するように構成される。
【００８０】
また、上記ローディングによって、分岐装置は、配下の端末装置とセル分岐・挿入制御回路５１をセル分解・多重化制御回路５５を介して接続する機能と、セル分岐・挿入制御回路５１と下流側Ｍバスインタフェースを直接接続する機能とを備えるように構成される。
【００８１】
上記のように構成された分岐装置は、上流側の下りバスに受信した「ＩＤ割当確認通知」セルを下位ノードに中継する（Ｓ８）。「ＩＤ割当要求」セルを受信した分岐装置は、ＭＢＵ１２から送られてくるＩＤを取得し、該セルを空きセルにして下位ノードへ送出する（Ｓ９）。
これ以降、分岐装置は中継機能を有するとして動作する（Ｓ１０）。
【００８２】
ステップＳ３で下流側Ｍバスインタフェースに１５５Ｍｂｐｓインタフェースを持つ装置が接続されていなかったとき、またはステップＳ４で上りバスに「ＩＤ要求」セルを検出しなかったとき、すなわち下位ノードに分岐装置が接続されていないときには、分岐装置は自ら「ＩＤ要求」セルを上りバスに送出してＭＢＵ１２からＩＤを取得する（Ｓ１１）。
【００８４】
分岐装置は内部にループバック機能を有した終端分岐装置として動作する（Ｓ１２）。
【００８５】
【発明の効果】
本発明によれば、ＡＴＭ−ＭバシステムにおけるＭバスの終端部に接続された分岐装置が自動的に内部折返しを設けるため、従来外部で接続していた“Ｕ”字接続を廃止し工事ミスを防止することができる。
さらに、下流側Ｍバスインタフェースを１５５Ｍｂｐｓの端末装置用のインタフェースとして使用することができ、経済的効果は大である。
【図面の簡単な説明】
【図１】本発明にかかる分岐装置が適用されるＡＴＭ−Ｍバスシステムの構成概念を示す概念図。
【図２】本発明にかかる分岐装置が適用されるＡＴＭ−Ｍバスシステムに用いるＭＢＵの構成を示すブロック図。
【図３】本発明にかかる分岐装置が適用されるＡＴＭ−Ｍバスシステムに用いるＭＢＵのＡＴＣにおけるＧＦＣ／ＶＰ／ＶＣの変換処理を説明する説明図。
【図４】本発明にかかるＡＴＭ−Ｍバスシステムに用いる分岐装置の構成を示すブロック図。
【図５】本発明にかかるＡＴＭ−Ｍバスシステムに用いる分岐装置の機能構成を示す図。
【図６】本発明にかかるＡＴＭ−Ｍバスシステムに用いる分岐装置の動作を説明するフロー図。
【図７】先願にかかるＡＴＭ−Ｕバスシステムの構成概念を示す概念図。
【符号の説明】
１  Ｍバス主装置（ＡＴＭ交換装置）
１１  ＡＴＭスイッチ
１２  ＡＴＭ−Ｍバスインタフェースユニット（ＭＢＵ）
１２０  ＧＦＣ／ＶＰ／ＶＣ変換手段（ＡＴＣ）
１２１  セル分岐・挿入制御部（ＰＬＤ）
１２２  ＡＴＭ  ユーザネットワークインタフェース
１２３  光／電気変換用インタフェース
１２４  Ｆ−ＲＯＭ
１２５  Ｓ−ＲＡＭ
１２６  ＣＰＵ
１２７  ＬＥＤ表示部
１２８  ＰＬＬ回路
１３  ２５Ｍbps端末インタフェースユニット
１４  ＬＡＮインタフェースユニット
１５  Ｎ−ＩＳＤＮ基本インタフェースユニット
１６  ２５Ｍbpsノード間インタフェースユニット
１７  三者会議ユニット
１８  音声通話タイプ変換ユニット
１９  中央制御ユニット（ＣＣＵ）
３  Ｍバス
５  分岐装置
５１  セル分岐・挿入制御回路（ＰＬＤ）
５２  光／電気変換用インタフェース
５３  １５５Ｍｂｐｓユーザネットワークインタフェース（ＡＴＭ−ＵＮＩ）
５４  セル分岐・挿入制御回路用ＲＯＭ
５５  セル分配・多重化制御回路（ＰＬＤ）
５６  セル分配・多重化制御回路ＲＯＭ
５７  ２５Ｍｂｐｓユーザネットワークインタフェース（ＡＴＭ−ＵＮＩ）
５８  パルストランス
５９  ＣＰＵ
６０  Ｆ−ＲＯＭ
６１  ＲＡＭ
７１  ２５ＭｂｐｓＡＴＭ−ＫＴ
７２  １５５ＭｂｐｓＡＴＭ端末装置
７５  ２５ＭｂｐｓＡＴＭ端末装置
５０１  上流側Ｍバスインタフェース
５０２  下流側Ｍバスインタフェース
５０３  セル分岐機能
５０４  セル挿入機能
５０５  セル分岐・挿入機能
５０６  端末装置インタフェース
５０７  装置接続判定機能
５０８  分岐装置接続判定機能
５０９  選択機能
５１０  ＡＴＭセル中継機能
５１１  ループバック機能
【図１】
0003790050.tif 000005
【図２】
0003790050.tif 000006
【図３】
0003790050.tif 000007
【図４】
0003790050.tif 000008
【図５】
0003790050.tif 000009
【図６】
0003790050.tif 000010
【図７】
0003790050.tif 000011